【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
液体を吐出するノズルが設けられたノズルプレートを有する液体噴射ヘッドが複数並設された液体噴射ヘッドユニットであって、
前記液体噴射ヘッドは、前記ノズルプレートに連続する側面に付着した液体が、前記液体噴射ヘッドが並設された方向において隣り合う各液体噴射ヘッドの対向する側面の間で保持されることが可能な間隔で並設されている
ことを特徴とする液体噴射ヘッドユニット。
【請求項２】
請求項１に記載する液体噴射ヘッドユニットにおいて、
さらに、複数の前記液体噴射ヘッドが固定された固定部材を備え、
前記固定部材は、前記液体噴射ヘッドが有するケースであって、前記ノズルプレートとは反対側の面に固定されたケースを介して、前記液体噴射ヘッドと固定される
ことを特徴とする液体噴射ヘッドユニット。
【請求項３】
請求項２に記載する液体噴射ヘッドユニットにおいて、
前記ケースには、前記液体噴射ヘッドの両側面であって、前記液体噴射ヘッドが対向しない両側面に、それぞれ突出する固定部が設けられ、
前記固定部材は、前記固定部を介して、前記液体噴射ヘッドと固定される
ことを特徴とする液体噴射ヘッドユニット。
【請求項４】
請求項２又は請求項３に記載する液体噴射ヘッドユニットにおいて、
各液体噴射ヘッドの対向する側面の間のうち、前記ノズルプレート側の間は、前記ケース側の間よりも狭い
ことを特徴とする液体噴射ヘッドユニット。
【請求項５】
請求項１〜請求項４の何れか一項に記載する液体噴射ヘッドユニットにおいて、
前記液体噴射ヘッドは、前記液体噴射ヘッドユニットの移動時において、隣り合う前記液体噴射ヘッドの間に保持されたインクが維持される間隔で並設されている
ことを特徴とする液体噴射ヘッドユニット。
【請求項６】
請求項１又は請求項５に記載する液体噴射ヘッドユニットにおいて、
前記液体噴射ヘッドは、前記ノズルプレートのノズルを露出する露出開口部を画成する枠部と、前記枠部から屈曲され、前記側面の一部を覆う側壁部とを有するカバーヘッドをさらに有し、
前記液体噴射ヘッドは、前記側壁部に液体が保持されるように並設されている
ことを特徴とする液体噴射ヘッドユニット。
【請求項７】
請求項６に記載する液体噴射ヘッドユニットにおいて、
前記カバーヘッドの前記枠部の表面は撥水処理され、
前記カバーヘッドの前記側壁部の表面は親水処理されている
ことを特徴とする液体噴射ヘッドユニット。
【請求項８】
請求項５〜請求項７の何れか一項に記載する液体噴射ヘッドユニットにおいて、
各液体噴射ヘッドの対向する側面の間のうち、前記側壁部の間は、前記カバーヘッドにより覆われていない部分の間よりも狭い
ことを特徴とする液体噴射ヘッドユニット。
【請求項９】
請求項１〜請求項８の何れか一項に記載する液体噴射ヘッドユニットと、
前記液体噴射ヘッドを払拭する払拭手段とを備えることを特徴とする液体噴射装置。
【請求項１０】
液体を吐出するノズルが設けられたノズルプレートを有する液体噴射ヘッドが複数並設された液体噴射ヘッドユニットの製造方法であって、
前記液体噴射ヘッドを、前記ノズルプレートに連続する側面に付着した液体が、前記液体噴射ヘッドが並設された方向において隣り合う各液体噴射ヘッドの対向する側面の間で保持されることが可能な間隔で、並設し、
前記間隔は、液体の粘度、量又は表面張力のうち、少なくとも１つの値が異なる場合に、変更される
ことを特徴とする液体噴射ヘッドユニットの製造方法。
【手続補正２】
【補正対象書類名】明細書
【補正対象項目名】０００８
【補正方法】変更
【補正の内容】
【０００８】
上記課題を解決する本発明の態様は、以下が挙げられる。
［態様１］
液体を吐出するノズルが設けられたノズルプレートを有する液体噴射ヘッドが複数並設された液体噴射ヘッドユニットであって、  前記液体噴射ヘッドは、前記ノズルプレートに連続する側面に付着した液体が、前記液体噴射ヘッドが並設された方向において隣り合う各液体噴射ヘッドの対向する側面の間で保持されることが可能な間隔で並設されている  ことを特徴とする液体噴射ヘッドユニット。
かかる態様では、ノズルプレートに付着した液体が払拭された際に、液体噴射ヘッド間に液体が保持される。これにより、液体噴射ヘッドユニットが被記録媒体上に位置していても、該液体は被記録媒体に落下しない。これにより、被記録媒体が液体で汚れてしまうことを防止することができる。
［態様２］
態様１に記載する液体噴射ヘッドユニットにおいて、  さらに、複数の前記液体噴射ヘッドが固定された固定部材を備え、  前記固定部材は、前記液体噴射ヘッドが有するケースであって、前記ノズルプレートとは反対側の面に固定されたケースを介して、前記液体噴射ヘッドと固定される  ことを特徴とする液体噴射ヘッドユニット。
かかる態様では、隣り合う各液体噴射ヘッドの対向する側面の間を、液体が保持されることが可能な間隔としやすい。
［態様３］
態様２に記載する液体噴射ヘッドユニットにおいて、  前記ケースには、前記液体噴射ヘッドの両側面であって、前記液体噴射ヘッドが対向しない両側面に、それぞれ突出する固定部が設けられ、  前記固定部材は、前記固定部を介して、前記液体噴射ヘッドと固定される  ことを特徴とする液体噴射ヘッドユニット。
かかる態様では、隣り合う各液体噴射ヘッドの対向する側面の間を、液体が保持されることが可能な間隔としやすい。
［態様４］
態様２又は態様３に記載する液体噴射ヘッドユニットにおいて、  各液体噴射ヘッドの対向する側面の間のうち、前記ノズルプレート側の間は、前記ケース側の間よりも狭い  ことを特徴とする液体噴射ヘッドユニット。
かかる態様では、各液体噴射ヘッドの対向する側面の間のうち、ノズルプレート側の間隔には、毛細管現象によりインクが引き込まれ易くするとともに、ケース側の間隔には、インクが引き込まれにくい構造とすることができる。
［態様５］
態様１〜態様４の何れか一項に記載する液体噴射ヘッドユニットにおいて、  前記液体噴射ヘッドは、前記液体噴射ヘッドユニットの移動時において、隣り合う前記液体噴射ヘッドの間に保持されたインクが維持される間隔で並設されている  ことを特徴とする液体噴射ヘッドユニット。
これによれば、液体噴射ヘッドユニットが搬送される際においても、液体噴射ヘッド間に保持された液体が被記録媒体に落下することを防止することができる。
［態様６］
態様１又は態様５に記載する液体噴射ヘッドユニットにおいて、  前記液体噴射ヘッドは、前記ノズルプレートのノズルを露出する露出開口部を画成する枠部と、前記枠部から屈曲され、前記側面の一部を覆う側壁部とを有するカバーヘッドをさらに有し、  前記液体噴射ヘッドは、前記側壁部に液体が保持されるように並設されている  ことを特徴とする液体噴射ヘッドユニット。
これによれば、カバーヘッドでノズルプレートを保護するとともに、該カバーヘッド間に液体を保持することができる。また、液体は、カバーヘッド間に保持されるので、液体が液体噴射ヘッドを構成する電装部品などの部材に達することを防止することができる。
［態様７］
態様６に記載する液体噴射ヘッドユニットにおいて、  前記カバーヘッドの前記枠部の表面は撥水処理され、  前記カバーヘッドの前記側壁部の表面は親水処理されている  ことを特徴とする液体噴射ヘッドユニット。
これによれば、隣り合う液体噴射ヘッドのヘッドカバー間により確実に液体を保持することができる。
［態様８］
態様５〜態様７の何れか一項に記載する液体噴射ヘッドユニットにおいて、  各液体噴射ヘッドの対向する側面の間のうち、前記側壁部の間は、前記カバーヘッドにより覆われていない部分の間よりも狭い  ことを特徴とする液体噴射ヘッドユニット。
かかる態様では、側壁部の間隔には、毛細管現象によりインクが引き込まれ易くするとともに、カバーヘッドにより覆われていない部分の間隔には、インクが引き込まれにくい構造とすることができる。
［態様９］
態様１〜態様８の何れか一項に記載する液体噴射ヘッドユニットと、  前記液体噴射ヘッドを払拭する払拭手段とを備えることを特徴とする液体噴射装置。
かかる態様では、液体噴射ヘッド間に保持されたインクが被記録媒体に落下することを防止することができる液体噴射装置が提供される。
［態様１０］
液体を吐出するノズルが設けられたノズルプレートを有する液体噴射ヘッドが複数並設された液体噴射ヘッドユニットの製造方法であって、  前記液体噴射ヘッドを、前記ノズルプレートに連続する側面に付着した液体が、前記液体噴射ヘッドが並設された方向において隣り合う各液体噴射ヘッドの対向する側面の間で保持されることが可能な間隔で、並設し、  前記間隔は、液体の粘度、量又は表面張力のうち、少なくとも１つの値が異なる場合に、変更される  ことを特徴とする液体噴射ヘッドユニットの製造方法。
かかる態様では、液体噴射ヘッドユニットが被記録媒体上に位置していても、該液体は被記録媒体に落下しない。これにより、被記録媒体が液体で汚れてしまうことを防止することができる。
あるいは、上記課題を解決する本発明の別の態様は、液体を吐出するノズルが設けられたノズルプレートを有する液体噴射ヘッドが複数並設された液体噴射ヘッドユニットであって、前記液体噴射ヘッドは、前記ノズルプレートに連続する側面に付着した液体が各液体噴射ヘッドの間で保持されることが可能な間隔で並設されていることを特徴とする液体噴射ヘッドユニットにある。
【手続補正３】
【補正対象書類名】明細書
【補正対象項目名】発明の名称
【補正方法】変更
【補正の内容】
【発明の名称】液体噴射ヘッドユニット、および、その製造方法